【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
ユーザの操作入力を受け付けて対象物を分析する分析装置において、
ユーザの操作履歴に関する情報を記憶する操作履歴情報記憶手段と、
分析装置自体の障害に関する情報を記憶する障害情報記憶手段と、
ユーザの指示に応じて、前記操作履歴情報記憶手段によって記憶された情報と、前記障害情報記憶手段によって記憶された情報とを複写して一のデータファイルに集約することにより、一の集合情報を生成する集合情報生成手段と
を備えることを特徴とする分析装置。
【請求項２】
ユーザの操作権限に関する権限情報を記憶する権限情報記憶手段を備え、
前記集合情報生成手段は、前記操作履歴情報記憶手段によって記憶された情報と、前記障害情報記憶手段によって記憶された情報と、前記権限情報記憶手段によって記憶された情報とを複写して一のデータファイルに集約することにより、前記集合情報を生成することを特徴とする請求項１記載の分析装置。
【請求項３】
対象物の計測結果に関する情報を記憶する計測結果情報記憶手段を備え、
前記集合情報生成手段は、前記操作履歴情報記憶手段によって記憶された情報と、前記障害情報記憶手段によって記憶された情報と、前記計測結果情報記憶手段によって記憶された情報とを複写して一のデータファイルに集約することにより、前記集合情報を生成することを特徴とする請求項１又は２記載の分析装置。
【請求項４】
前記操作履歴に関する情報は、ユーザがログインしてからログアウトするまでの期間に対応する操作履歴に関する情報であることを特徴とする請求項１乃至３のいずれか一項に記載の分析装置。
【請求項５】
前記操作履歴情報記憶手段は、前記操作履歴に関する情報を、ユーザを識別する情報と対応付けて記憶するようにしてあることを特徴とする請求項１乃至４のいずれか一項に記載の分析装置。
【請求項６】
前記集合情報生成手段によって生成された前記集合情報を外部へ送信する集合情報送信手段を備えることを特徴とする請求項１乃至５のいずれか一項に記載の分析装置。
【請求項７】
前記集合情報を外部へ送信する指示情報を受け付ける送信指示情報受付手段を備えることを特徴とする請求項６記載の分析装置。
【請求項８】
前記集合情報生成手段は、前記分析装置自体の障害が発生すると、自動的に、前記操作履歴情報記憶手段によって記憶された情報と、前記障害情報記憶手段によって記憶された情報とを複写して一のデータファイルに集約することにより、一の集合情報を生成することを特徴とする請求項１乃至７のいずれか一項に記載の分析装置。
【請求項９】
ユーザの操作入力を受け付けて対象物を分析する一又は複数の分析装置と、
該一又は複数の分析装置とデータ通信することが可能に接続された中央装置とで構成された分析システムにおいて、
前記分析装置は、
ユーザの操作履歴に関する情報を記憶する操作履歴情報記憶手段と、
分析装置自体の障害に関する情報を記憶する障害情報記憶手段と、
前記操作履歴情報記憶手段によって記憶された情報と、前記障害情報記憶手段によって記憶された情報とを複写して一のデータファイルに集約することにより、一の集合情報を生成する集合情報生成手段と、
前記集合情報生成手段によって生成された前記集合情報を前記中央装置へ送信する情報送信手段と
を備えることを特徴とする分析システム。
【請求項１０】
前記分析装置は、
ユーザの操作権限に関する権限情報を記憶する権限情報記憶手段を備え、
前記集合情報生成手段は、前記操作履歴情報記憶手段によって記憶された情報と、前記障害情報記憶手段によって記憶された情報と、前記権限情報記憶手段によって記憶された情報とを複写して一のデータファイルに集約することにより、前記集合情報を生成するようにしてあることを特徴とする請求項９記載の分析システム。
【請求項１１】
前記分析装置は、
対象物の計測結果に関する情報を記憶する計測結果情報記憶手段を備え、
前記集合情報生成手段は、前記操作履歴情報記憶手段によって記憶された情報と、前記障害情報記憶手段によって記憶された情報と、前記計測結果情報記憶手段によって記憶された情報とを複写して一のデータファイルに集約することにより、前記集合情報を生成するようにしてあることを特徴とする請求項９又は１０記載の分析システム。
【請求項１２】
ユーザの操作入力を受け付けて対象物を分析する分析装置で実行することが可能なコンピュータプログラムにおいて、
前記分析装置を、
ユーザの操作履歴に関する情報を記憶する操作履歴情報記憶手段、
分析装置自体の障害に関する情報を記憶する障害情報記憶手段、及び
前記操作履歴情報記憶手段によって記憶された情報と、前記障害情報記憶手段によって記憶された情報とを複写して一のデータファイルに集約することにより、一の集合情報を生成する集合情報生成手段
として機能させることを特徴とするコンピュータプログラム。
【手続補正２】
【補正対象書類名】明細書
【補正対象項目名】０００８
【補正方法】変更
【補正の内容】
【０００８】
上記目的を達成するために第１発明に係る分析装置は、ユーザの操作入力を受け付けて対象物を分析する分析装置において、ユーザの操作履歴に関する情報を記憶する操作履歴情報記憶手段と、分析装置自体の障害に関する情報を記憶する障害情報記憶手段と、ユーザの指示に応じて、前記操作履歴情報記憶手段によって記憶された情報と、前記障害情報記憶手段によって記憶された情報とを複写して一のデータファイルに集約することにより、一の集合情報を生成する集合情報生成手段とを備えることを特徴とする。
【手続補正３】
【補正対象書類名】明細書
【補正対象項目名】０００９
【補正方法】変更
【補正の内容】
【０００９】
また、第２発明に係る分析装置は、第１発明において、ユーザの操作権限に関する権限情報を記憶する権限情報記憶手段を備え、前記集合情報生成手段は、前記操作履歴情報記憶手段によって記憶された情報と、前記障害情報記憶手段によって記憶された情報と、前記権限情報記憶手段によって記憶された情報とを複写して一のデータファイルに集約することにより、前記集合情報を生成することを特徴とする。
【手続補正４】
【補正対象書類名】明細書
【補正対象項目名】００１０
【補正方法】変更
【補正の内容】
【００１０】
また、第３発明に係る分析装置は、第１又は第２発明において、対象物の計測結果に関する情報を記憶する計測結果情報記憶手段を備え、前記集合情報生成手段は、前記操作履歴情報記憶手段によって記憶された情報と、前記障害情報記憶手段によって記憶された情報と、前記計測結果情報記憶手段によって記憶された情報とを複写して一のデータファイルに集約することにより、前記集合情報を生成することを特徴とする。
【手続補正５】
【補正対象書類名】明細書
【補正対象項目名】００１３
【補正方法】変更
【補正の内容】
【００１３】
また、第６発明に係る分析装置は、第１乃至第５発明のいずれか１つにおいて、前記集合情報生成手段によって生成された前記集合情報を外部へ送信する集合情報送信手段を備えることを特徴とする。
【手続補正６】
【補正対象書類名】明細書
【補正対象項目名】００１４
【補正方法】変更
【補正の内容】
【００１４】
また、第７発明に係る分析装置は、前記集合情報を外部へ送信する指示情報を受け付ける送信指示情報受付手段を備えることを特徴とする。
【手続補正７】
【補正対象書類名】明細書
【補正対象項目名】００１５
【補正方法】変更
【補正の内容】
【００１５】
また、第８発明に係る分析装置は、前記集合情報生成手段は、前記分析装置自体の障害が発生すると、自動的に、前記操作履歴情報記憶手段によって記憶された情報と、前記障害情報記憶手段によって記憶された情報とを複写して一のデータファイルに集約することにより、一の集合情報を生成することを特徴とする。
【手続補正８】
【補正対象書類名】明細書
【補正対象項目名】００１６
【補正方法】変更
【補正の内容】
【００１６】
次に、上記目的を達成するために第９発明に係る分析システムは、ユーザの操作入力を受け付けて対象物を分析する一又は複数の分析装置と、該一又は複数の分析装置とデータ通信することが可能に接続された中央装置とで構成された分析システムにおいて、前記分析装置は、ユーザの操作履歴に関する情報を記憶する操作履歴情報記憶手段と、分析装置自体の障害に関する情報を記憶する障害情報記憶手段と、前記操作履歴情報記憶手段によって記憶された情報と、前記障害情報記憶手段によって記憶された情報とを複写して一のデータファイルに集約することにより、一の集合情報を生成する集合情報生成手段と、前記集合情報生成手段によって生成された前記集合情報を前記中央装置へ送信する情報送信手段とを備えることを特徴とする分析システム。
【手続補正９】
【補正対象書類名】明細書
【補正対象項目名】００１７
【補正方法】変更
【補正の内容】
【００１７】
また、第１０発明に係る分析システムは、第９発明において、前記分析装置は、ユーザの操作権限に関する権限情報を記憶する権限情報記憶手段を備え、前記集合情報生成手段は、前記操作履歴情報記憶手段によって記憶された情報と、前記障害情報記憶手段によって記憶された情報と、前記権限情報記憶手段によって記憶された情報とを複写して一のデータファイルに集約することにより、前記集合情報を生成するようにしてあることを特徴とする。
【手続補正１０】
【補正対象書類名】明細書
【補正対象項目名】００１８
【補正方法】変更
【補正の内容】
【００１８】
また、第１１発明に係る分析システムは、第９又は第１０発明において、前記分析装置は、対象物の計測結果に関する情報を記憶する計測結果情報記憶手段を備え、前記集合情報生成手段は、前記操作履歴情報記憶手段によって記憶された情報と、前記障害情報記憶手段によって記憶された情報と、前記計測結果情報記憶手段によって記憶された情報とを複写して一のデータファイルに集約することにより、前記集合情報を生成するようにしてあることを特徴とする。
【手続補正１１】
【補正対象書類名】明細書
【補正対象項目名】００１９
【補正方法】変更
【補正の内容】
【００１９】
次に、上記目的を達成するために第１２発明に係るコンピュータプログラムは、ユーザの操作入力を受け付けて対象物を分析する分析装置で実行することが可能なコンピュータプログラムにおいて、前記分析装置を、ユーザの操作履歴に関する情報を記憶する操作履歴情報記憶手段、分析装置自体の障害に関する情報を記憶する障害情報記憶手段、及び前記操作履歴情報記憶手段によって記憶された情報と、前記障害情報記憶手段によって記憶された情報とを複写して一のデータファイルに集約することにより、一の集合情報を生成する集合情報生成手段として機能させることを特徴とする。
【手続補正１２】
【補正対象書類名】明細書
【補正対象項目名】００２０
【補正方法】変更
【補正の内容】
【００２０】
第１発明、及び第１２発明では、障害が発生した状況を再現するために最低限必要な情報を確実に取得することができる。また、分析装置搬入先であるユーザ自身が、障害が発生した状況を再現するために最低限必要な情報を収集する場合においても、簡単な操作で必要な情報を漏れなく収集することが可能となる。また、操作履歴情報記憶手段によって記憶された情報と、障害情報記憶手段によって記憶された情報とを複写して一のデータファイルに集約することにより、一の集合情報を生成するので、集合情報のみを可搬型記録媒体で抽出する、ネットワークを介して転送する等を行うことができ、障害が発生した状況を再現するための情報を容易に収集することが可能となる。
【手続補正１３】
【補正対象書類名】明細書
【補正対象項目名】００２１
【補正方法】変更
【補正の内容】
【００２１】
ここで、「操作履歴に関する情報」とは、ユーザによるボタン操作、スイッチ操作等の物理的な操作だけでなく、画面インタフェースを介したマウス等の入力媒体によるクリック、ドラッグ、ダブルクリック等の操作も含む履歴情報を意味する概念である。「分析装置自体の障害に関する情報」とは、ユーザによる誤操作が原因ではなく、ディスク障害、メモリオーバフロー等のハードウェア障害による割込み処理、ソフトウェア障害によるエラー処理等が発生した履歴に関する情報を意味する広い概念である。
【手続補正１４】
【補正対象書類名】明細書
【補正対象項目名】００２２
【補正方法】変更
【補正の内容】
【００２２】
第２発明では、操作権限の相違により発生した障害を再現するために必要な権限情報も確実に取得することができる。また、分析装置搬入先であるユーザ自身が、障害が発生した状況を再現するために必要な情報を収集する場合においても、簡単な操作で必要な情報を漏れなく収集することが可能となる。ここで、「権限情報」とは、ユーザのアクセス権限に関する情報を意味しており、ログインするためのユーザＩＤ情報、パスワード情報にとどまらず、各ユーザＩＤに付与されている複数の処理に対するアクセス権限情報も含む広い概念である。したがって、アクセス権限に起因して生じた障害であっても、障害が発生した状況を再現することが可能となる。
【手続補正１５】
【補正対象書類名】明細書
【補正対象項目名】００２３
【補正方法】変更
【補正の内容】
【００２３】
第３発明では、障害の再現時に計測された結果と対比することが可能な、実際に計測された結果に関する情報も確実に取得することができる。また、分析装置搬入先であるユーザ自身が、障害が発生した状況を再現するために必要な情報を収集する場合においても、簡単な操作で必要な情報を漏れなく収集することが可能となる。ここで、「計測結果に関する情報」とは、所定の条件下にて計測装置で対象物について計測された結果そのものを意味しており、計測値だけでなく、計測対象物に関する情報、計測した時点での計測条件に関する情報等も含む広い概念である。したがって、障害発生状況の再現時に比較することで、障害発生状況が正しく再現されているか否かを検証することができる。
【手続補正１６】
【補正対象書類名】明細書
【補正対象項目名】００２６
【補正方法】変更
【補正の内容】
【００２６】
第６発明では、記憶されている集合情報を外部へ送信することにより、障害を再現するために必要な情報を未然に外部の装置へ移動させることができ、例えばコンピュータウイルス、ハードディスク障害等により収集した情報が破壊される前に安全なコンピュータへ退避させることができる。したがって、障害が発生した状況を他のコンピュータにて確実に再現することが可能となる。
【手続補正１７】
【補正対象書類名】明細書
【補正対象項目名】００２７
【補正方法】変更
【補正の内容】
【００２７】
第７発明では、記憶されている集合情報を外部へ送信する指示情報を受け付けることにより、障害を再現するために必要な情報を、障害が発生した場合だけではなく、ユーザの任意の時点で収集することができ、例えばコンピュータウイルス、ハードディスク障害等により収集した情報が破壊される前に安全なコンピュータへ退避させることができる。したがって、障害が発生した状況を他のコンピュータにて確実に再現することが可能となる。
【手続補正１８】
【補正対象書類名】明細書
【補正対象項目名】００２８
【補正方法】変更
【補正の内容】
【００２８】
第８発明では、分析装置自体の障害が発生すると、自動的に、集合情報を生成することができるので、ユーザの手間を軽減させることができる。
【手続補正１９】
【補正対象書類名】明細書
【補正対象項目名】００２９
【補正方法】変更
【補正の内容】
【００２９】
第９発明では、分析システムは、ユーザの操作入力を受け付けて対象物を分析する一又は複数の分析装置と、該一又は複数の分析装置とデータ通信することが可能に接続された中央装置とで構成されている。分析装置は、操作履歴に関する情報及び障害に関する情報を一のデータファイルに集約して一の集合情報を生成し、中央装置へ送信する。これにより、障害が発生した状況を再現するために最低限必要な情報を確実に中央装置にて取得することができる。また、分析装置搬入先であるユーザ自身が、障害が発生した状況を再現するために最低限必要な情報を収集する場合においても、簡単な操作で必要な情報を漏れなく収集することが可能となる。
【手続補正２０】
【補正対象書類名】明細書
【補正対象項目名】００３０
【補正方法】変更
【補正の内容】
【００３０】
第１０発明では、操作権限の相違により発生した障害を再現するために必要な権限情報も中央装置にて確実に取得することができる。また、分析装置搬入先であるユーザ自身が、障害が発生した状況を再現するために必要な情報を収集する場合においても、簡単な操作で必要な情報を漏れなく収集することが可能となる。
【手続補正２１】
【補正対象書類名】明細書
【補正対象項目名】００３１
【補正方法】変更
【補正の内容】
【００３１】
第１１発明では、障害の再現時に計測された結果と対比することが可能な、実際に計測された結果に関する情報も中央装置で確実に取得することができる。また、分析装置搬入先であるユーザ自身が、障害が発生した状況を再現するために必要な情報を収集する場合においても、簡単な操作で必要な情報を漏れなく収集することが可能となる。
【手続補正２２】
【補正対象書類名】明細書
【補正対象項目名】００３２
【補正方法】変更
【補正の内容】
【００３２】
なお、後述する実施の形態では、操作履歴情報記憶手段は制御装置１１のステップＳ２０２、ステップＳ１００２の処理が、障害情報記憶手段は制御装置１１のステップＳ２０４、ステップＳ１００４の処理が、それぞれ該当する。集合情報生成手段は制御装置１１のステップＳ８０２、ステップＳ１１０２の処理が、集合情報送信手段は制御装置１１のステップＳ８０４、ステップＳ１１０４の処理が、情報送信手段は制御装置１１のステップＳ１００５の処理が、送信指示情報受付手段は、制御装置１１のステップＳ８０３、ステップＳ１１０３の処理が、それぞれ該当する。
【手続補正２３】
【補正対象書類名】明細書
【補正対象項目名】００３３
【補正方法】変更
【補正の内容】
【００３３】
上記構成によれば、障害を再現するために必要な情報を集約した集合情報に基づいて、必要となる情報を確実に取得することができる。また、分析装置搬入先であるユーザ自身が、障害が発生した状況を再現するために必要な情報を収集する場合においても、簡単な操作で必要な情報を漏れなく収集することが可能となる。